(57)【要約】  本発明は、紙への最適な接着性、優れた封止性および押出しコーシステムでの加工性により特徴付けられ、少なくとも１つの二酸および少なくとも１つのジオールに由来する単位を含み、長い分岐鎖（ポリエステルの主鎖に対してアイソタクチック）を有し、本質的にゲルを含まない、特に押出しコーティングに適した生分解性ポリエステルに関する。前記生分解性ポリエステルは、定義された粘度およびポリエステルプレカーサーのいくつかの（few）鎖をこのポリエステルのアイソタクチック分岐に変換させる反応点の濃度を有する実質的に線状ポリエステルプレカーサーを由来とする反応性押出法により得ることができる。本発明のさらなる目的は、少なくとも１つの基材、好ましくは紙および少なくとも１つの、本発明によるポリエステルからなる第１の層からなる積層品である。
2011518235.tif 000002
【特許請求の範囲】
【請求項１】
溶融状態において、１８０℃およびフローグラジエントγ＝１０３．７ｓ-1（Ｄ＝１ｍｍ、Ｌ／Ｄ＝３０）でのせん断粘度８００〜１，６００パスカル、１８０℃での熱安定度定数Ｋ１．５×１０-4未満、１８０℃での溶融強度２〜４．５ｇおよび１８０℃での破断延伸比＞３０により特徴付けられ、少なくとも１つの二酸および少なくとも１つのジオールに由来する単位を含み、長い分岐鎖を有し、本質的にゲルを含まないポリエステルである生分解性ポリエステル。
【請求項２】
溶融状態において、フローグラジエントγ＝１０３．７ｓ-1における９００〜１，３００パスカルのせん断粘度、１８０℃での１×１０-4未満の熱安定度定数Ｋ、１８０℃での溶融強度２．３〜４ｇおよび１８０℃での破断延伸比＞５０により特徴付けられる請求項１に記載された生分解性ポリエステル。
【請求項３】
溶融状態において、フローグラジエントγ＝１０３．７ｓ-1における１，０００〜１，２５０パスカルのせん断粘度、１８０℃での０．８×１０-4未満の熱安定度定数Ｋ、１８０℃での溶融強度２．５〜３ｇおよび１８０℃での破断延伸比＞７０により特徴付けられる請求項２に記載された生分解性ポリエステル。
【請求項４】
少なくとも１つの二酸および少なくとも１つのジオールに由来する単位を含むポリエステルプレカーサーの反応性押出を含むことを特徴とし、前記ポリエステルプレカーサーが、実質的に線状であり、１９０℃および２．１６ｋｇでの５〜３０ｇ／分のＭＦＩを有し、かつ０．１〜１モル％の量で末端不飽和の含量を有し、前記反応性押出法が、ペルオキシド類、エポキシド類およびカルボジイミド類から選択される化合物の添加した状態で行われる、請求項１に記載された生分解性ポリエステルの製造方法。
【請求項５】
実質的に線状ポリエステルプレカーサーが、１９０℃および２．１６ｋｇでの７〜２０ｇ／分のＭＦＩ、スピードグラジエントｇ＝１００ｓ-1を有する５００〜７００パスカルのせん断粘度を有し、かつ０．１〜０．８モル％の量で末端不飽和の含量を有することで特徴付けられる請求項４に記載された方法。
【請求項６】
実質的に線状ポリエステルプレカーサーが、１９０℃での９〜１５ｇ／分のＭＦＩを有し、かつ０．２〜０．７モル％の量で末端不飽和の含量を有することで特徴付けられる請求項５に記載された方法。
【請求項７】
０．００１〜０．１％の量のペルオキシド類、０．０５〜１重量％の量のエポキシド類、０．０５〜１．５重量％の量のカルボジイミド類を添加することにより行われることで特徴付けられる請求項４に記載された方法。
【請求項８】
０．００４〜０．０９％の量のペルオキシド類、０．２〜０．５％の量のエポキシド類、０．１〜１重量％の量のカルボジイミド類を添加することにより行われることで特徴付けられる請求項７に記載された方法。
【請求項９】
０．００６〜０．０３％の量のペルオキシド類、０．１５〜０．８重量％の量のカルボジイミド類を添加することにより行われることで特徴付けられる請求項８に記載された方法。
【請求項１０】
用いられるペルオキシド類が、ジアルキルペルオキシド類の群から選択されることで特徴付けられる請求項４に記載された方法。
【請求項１１】
実質的に線状ポリエステルプレカーサーが、脂肪族および脂肪族−芳香族生分解性ポリエステル類からなる群から選択されることで特徴付けられる請求項４に記載された方法。
【請求項１２】
脂肪族生分解性ポリエステル類が、脂肪族ジカルボン酸類および脂肪族ジオール類を由来として得られることで特徴付けられる請求項１１に記載された方法。
【請求項１３】
脂肪族−芳香族生分解性ポリエステル類が、主として多官能性芳香族酸類からなる芳香族部分、ならびに脂肪族ジカルボン酸類および脂肪族ジオール類およびその混合物からなる脂肪族部分を有することで特徴付けられる請求項１１に記載された方法。
【請求項１４】
ジカルボキシル芳香族化合物類が、フタル酸およびそのエステル類，フランジカルボン酸およびそのエステル類の誘導体、ならびにそれらの組み合わせであることで特徴付けられる請求項１３に記載された方法。
【請求項１５】
前記脂肪族ジカルボン酸類が、Ｃ2〜Ｃ13の炭素数を有することで特徴付けられる請求項１２および１３に記載された方法。
【請求項１６】
Ｃ2〜Ｃ13タイプの脂肪族ジカルボン酸類が、再生可能な原料からなるものであることで特徴付けられる請求項１５に記載された方法。
【請求項１７】
脂肪族ジカルボン酸が、セバシン酸であることで特徴付けられる請求項１５に記載された方法。
【請求項１８】
ジオール類が、１，２−エタンジオール、１，２−プロパンジオール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、１，１３−トリデカンジオール、１，４−シクロヘキサンジメタノール、ネオペンチルグリコール、２−メチル−１，３−プロパンジオール、ジアンヒドロソルビトール、ジアンヒドロマンニトール、ジアンヒドロイジトール、シクロヘキサンジオール、シクロヘキサンメタンジオール、イソソルビドおよびその混合物からなる群から選択されることで特徴付けられる請求項１２および１３に記載された方法。
【請求項１９】
ジオール類が、ブタンジオール、プロパンジオールおよびエチレングリコールならびにその混合物であることで特徴付けられる請求項１８に記載された方法。
【請求項２０】
実質的に線状脂肪族−芳香族ポリエステル類が、４０と７０モル％との間の芳香族酸類の含量を有することで特徴付けられる請求項１４に記載された方法。
【請求項２１】
ポリエステルプレカーサー類が、０．５％未満の濃度で分岐剤で分岐されてなることで特徴付けられる請求項４に記載された方法。
【請求項２２】
分岐剤が、ポリオール類、ポリ酸類、ポリエポキシ類およびその混合物のような多官能性分子類から選択されることで特徴付けられる請求項２１に記載された方法。
【請求項２３】
ポリエステルが、規格ＥＮ１３４３２による生分解性である請求項１に記載された生分解性ポリエステル。
【請求項２４】
少なくとも１つの剛体のまたは柔軟性の基材および少なくとも１つの、請求項１に記載された生分解性ポリエステルを含む第１の層を含む積層品。
【請求項２５】
生分解性ポリエステルが、他の生分解性および非生分解性ポリマー類と混合されてなることで特徴付けられる請求項２４に記載された積層品。
【請求項２６】
生分解性ポリエステルが、剥離剤、可塑剤、充填剤、滑剤、核剤および界面活性剤のようなプロセス添加剤ならびに帯電防止剤、顔料および接着性を向上させる添加剤と混合されてなることで特徴付けられる請求項２４に記載された積層品。
【請求項２７】
剛体の基材が、１またはそれ以上の層の紙および厚紙からなることで特徴付けられる請求項２４に記載された積層品。
【請求項２８】
柔軟性の基材が、１またはそれ以上の柔軟性のフィルムからなることで特徴付けられる請求項２４に記載された積層品。
【請求項２９】
基材が、１またはそれ以上の剛体の基材および１またはそれ以上の柔軟性の基材からなることで特徴付けられる請求項２４に記載された積層品。
【請求項３０】
押出しコーティング用のポリマーが、８０％以上の少なくとも第１の層で形成されることで特徴付けられる請求項２４〜２９のいずれかに記載された積層品。
【請求項３１】
一般に、バター、マーガリン用のタブ、ペットフード用の袋または箱、包装用積層紙ホイール、異なるタイプの食品、特にハンバーガーおよび肉類用の容器および包装紙、アイスクリームおよびヨーグルト用のカップ、蓋、酸化および／または湿気に敏感な食品、特にビスケット、コーヒーおよびポテトフライに適する、高い水および酸素遮断性を有する食品包装用の柔軟性のフィルムのような箱、カップ、プレート、食品包装からなる群から選択される請求項２４〜３０のいずれかによる積層品で得られた製品。
【請求項３２】
請求項１〜３のそれぞれに記載されたポリエステルから得られた伸張性フィルム。
【請求項３３】
食品包装用に用いられる請求項３２に記載された伸張性フィルム。
【請求項３４】
請求項１〜３のそれぞれに記載されたポリエステルを含む多層フィルム。
【請求項３５】
請求項１〜３のそれぞれに記載されたポリエステルを含む、水遮断および酸素遮断の多層フィルムおよび積層板。
【発明の詳細な説明】
【技術分野】
【０００１】
本発明は、従来の生分解性ポリエステルに対して同等の粘度、より高い溶融強度、より高い破断延伸比（stretching ratio）、より低いネックインにより特徴付けられ、かつさらに紙への最適な接着性、優れた封止性および押出しコーティングシステムでの加工性により特徴付けられ、長い分岐鎖（ポリエステルの主鎖に対してアイソタクチック）を有しかつ本質的にゲルを含まない、少なくとも１つの二酸および少なくとも１つのジオールに由来する単位を含む、特に押出しコーティングに適した生分解性ポリエステルに関する。
【０００２】
本発明の生分解性ポリエステルは、少なくとも１つの二酸および少なくとも１つのジオールに由来する、実質的に線状の単位を含み、定義された粘度および反応点の濃度を有し、好ましくはこれらの反応点で反応し得る特定の試薬により、ポリエステルプレカーサーのいくつかの（few）鎖をこのポリエステルのアイソタクチック分岐に変換させる末端官能基を有する、ポリエステルプレカーサーを由来とする反応性押出法により得ることができる。さらなる本発明の目的は、少なくとも１つの基材、好ましくは紙および少なくとも１つの、本発明のポリエステルからなる第１層からなる積層品である。
【背景技術】
【０００３】
技術の情勢
紙基材のポリマー材料との積層は、紙の強靭性、耐水性および遮断特性を向上させ、さらにヒートシールのような加工にも開かれた、極めて有用な加工である。しかしながら、ポリエチレンのようなポリマー類との紙積層板は、リサイクル工程中に多大な困難性を伴って、紙からポリエチレンのみを分離するというように、リサイクルまたは処分が容易でない。
このように処理中におけるポリマー層のリサイクルまたは処分は、紙積層板のライフサイクルの最後において非常に重大な問題を示す。
【０００４】
ＵＳ２００６/００５１６０３Ａ１は、二酸ジオールからのポリエステル類との紙積層板を開示する。このタイプのポリマー類の使用は、一旦紙から分離し、それらを混ぜることができるというように有利である。あるいは、全部の積層品を混ぜることができる。しかしながら、ＵＳ２００６/００５１６０３Ａ１は、異なる熱挙動および紙に対する異なる接着特性を有する２つの異なるポリエステルからなる少なくとも２つのポリマー層を含む積層を記載する。
【先行技術文献】
【特許文献】
【０００５】
【特許文献１】ＵＳ２００６/００５１６０３Ａ１
【発明の概要】
【０００６】
発明の説明
本発明は、溶融状態において、１８０℃で直径＝１ｍｍおよびＬ／Ｄ＝３０を有するキャピラリーを伴い測定されたフローグラジエントγ＝１０３．７ｓ-1（Ｄ＝１ｍｍ、Ｌ／Ｄ＝３０）での８００〜１，６００パスカル（Pas）のせん断粘度（shear viscosity）、１８０℃およびγ＝１０３．７ｓ-1での１．５×１０-4未満の熱安定度定数（Thermal Stability Constant）、１８０℃での２〜４．５ｇの溶融強度、１８０℃での破断延伸比＞３０により特徴付けられ、長い分岐鎖を有し、実質的にゲルを含まない、少なくとも１つの二酸および少なくとも１つのジオールに由来する単位を含む、特に押出しコーティングに適した生分解性ポリエステルに関する。
【図面の簡単な説明】
【０００７】
【図１】本発明の積層品の断面図である。
【図２ａ】実質的に線状ポリマープレカーサー（丸）と比較した本発明（三角）の、２つのポリマー類の粘度／フローグラジエント曲線を示す。
【図２ｂ】実質的に線状ポリマープレカーサー（丸）と比較した本発明（三角）の、２つのポリマー類の粘度／フローグラジエント曲線を示す。
【図３ａ】溶融状態での材料におけるキャピラリーレオメーターで得られる、伸びにおける引張曲線（力対延伸比）を示す。
【図３ｂ】溶融状態での材料におけるキャピラリーレオメーターで得られる、伸びにおける引張曲線（力対延伸比）を示す。
【図４ａ】本発明のポリマー（三角）、その実質的に線状ポリマープレカーサー（四角）および押出しコーティング用低密度ポリエチレン（丸、ノヴェックス（Novex）１９  Ｎ  ４３０）の種々の温度での溶融強度値を伴う２つの曲線を示す。
【図４ｂ】本発明のポリマー（三角）、その実質的に線状ポリマープレカーサー（四角）および押出しコーティング用低密度ポリエチレン（丸、ノヴェックス  １９  Ｎ  ４３０）の種々の温度での溶融強度値を伴う２つの曲線を示す。
【発明を実施するための形態】
【０００８】
好ましくは、本発明のポリエステルは、５５〜１７０℃の溶融温度、４０〜１０００ＭＰａの弾性率およびＧＰＣにより測定された１１５０００と２０００００との間の重量平均分子量Ｍｗを有する。前述の生分解性ポリエステルは、１９０℃および２．１６ｋｇでの５〜３０ｇ／分のＭＦＩを有しかつ活性部位（active site）を含む、二酸ジオールからの実質的に線状ポリエステルプレカーサーを由来とする反応性押出法を経て得られるのが好ましい。前記ポリエステルプレカーサーは、好ましくはＧＰＣにより測定された８０，０００〜１６０，０００の範囲の重量平均分子量を有する。本発明の語句の意味において、ポリエステルプレカーサーの「活性部位」は、ポリエステルプレカーサー鎖のポリエステル自体のアイソタクチック分岐への変換反応をさせる末端基を意味する。
【０００９】
このような活性部位は、例えば、Ｈ１  ＮＭＲ  ３００ＭＨｚにより測定される０．１〜１モル％の量で末端不飽和、またはポリマーまたは両方のＫＯＨ／ｋｇの１０〜２００当量（meq）の量で末端酸基として存在させ得る。前記反応性押出法は、ペルオキシド類、エポキシド類およびカルボジイミド類から選択された化合物の添加により行われる。
【００１０】
一般に、前記生分解性ポリエステルは、紙のポリエチレンとの積層に通常用いられる押出しコーティング用の装置で加工することができるのと同様の「コーティンググレード（coating grade）」として記載することができる。好ましくは、「コーティンググレード」ポリエステルは、有機ペルオキシド類を実質的に線状ポリエステルに加えることにより得ることができる。
【００１１】
また、本発明は、少なくとも１つの剛体のまたは柔軟性の基材および少なくとも１つの、本発明の押出しコーティング用生分解性ポリエステルを含む第１の層を含む積層品に関する。
【００１２】
図１は、本発明の積層品の断面図であり、１０は積層品、１１は基材、１２は本発明の生分解性ポリマーの層を示す。
【００１３】
図２ａおよび２ｂは、それらの実質的に線状ポリマープレカーサー（丸）と比較した本発明（三角）の、２つのポリマー類の粘度／フローグラジエント曲線を示す。
本発明のポリマーの両方の粘度値において、低いせん断速度の領域、すなわち押出しコーティングシステムの頭部を代表する値で顕著な増大がみられる。
【００１４】
図３ａおよび３ｂは、溶融状態での材料におけるキャピラリーレオメーターで得られる、伸びにおける引張曲線（力対延伸比）を示す。本発明のポリマー（三角）をそれらの実質的に線状ポリマープレカーサー（丸）と比較する。ポリマープレカーサーに関して、本発明のポリマーの溶融強度における顕著な増大は、完全に明らかである。
【００１５】
図４ａおよび４ｂは、本発明のポリマー（三角）、その実質的に線状ポリマープレカーサー（四角）および押出しコーティング用低密度ポリエチレン（丸、ノヴェックス  １９  Ｎ  ４３０）の種々の温度での溶融強度値を伴う２つの曲線を示す。注目できるように、本発明のポリマー類は共に、低密度ポリエチレンのそれらと完全に比較できるほどの、それらのポリエステルプレカーサーと明らかに異なる、溶融強度値を有する。
【００１６】
好ましくは、本発明の二酸ジオールを由来とし、長い分岐鎖を有し、本質的にゲルを含まない生分解性ポリエステルは、反応性押出法により得ることができ、前記反応性押出法は、ポリエステルプレカーサーに関して、０．００１〜０．１％、好ましくは０．００４〜０．０９％およびより好ましくは０．００６〜０．０３重量％の量でペルオキシド類を、ポリエステルプレカーサーに関して、０．０５〜１％、好ましくは０．２〜０．５重量％の量でエポキシド類を、ポリエステルプレカーサーに関して、０．０５〜１．５％、好ましくは０．１〜１％おとびより好ましくは０．１，５〜０．８重量％の量でカルボジイミド類を添加することにより行われる。
【００１７】
有利に用いられるペルオキシド類の例は、ベンゾイルペルオキシド、ラウロイルペルオキシド、イソノナノニルペルオキシド、ジ−（ｔ−ブチルペルオキシイソプロピル）ベンゼン、ｔ−ブチルペルオキシド、ジクミルペルオキシド、α，α’−ジ（ｔ−ブチルペルオキシ）ジイソプロピルベンゼン、２，５−ジメチル−２，５  ジ（ｔ−ブチルペルオキシ）ヘキサン、ｔ−ブチルクミルペルオキシド、ジ−ｔ−ブチルペルオキシド、２，５−ジメチル−２，５−ジ（ｔ−ブチルペルオキシ）ヘキシ−３−イン、ジ（４−ｔ−ブチルシクロヘキシル）ペルオキシジカーボネート、ジセチルペルオキシジカーボネート、ジミリスチルペルオキシジカーボネート、３，６，９−トリエチル−３，６，９−トリメチル−１，４，７−トリペルオキサン、ジ（２−エチルヘキシル）ペルオキシジカーボネートのようなジアルキルペルオキシド類およびその混合物の群から選択される。
【００１８】
有利に用いられるエポキシド類の例は、エポキシ化油類および／または１，０００と１０，０００との間の範囲の分子量および１〜３０、好ましくは５〜２５の範囲の分子毎のエポキシドの数を含む、スチレン−グリシジルエーテル−メチルメタクリレート、グリシジルエーテルメチルメタクリレートの全てのポリエポキシド類であり、かつエポキシド類は、ジエチレングリコールジグリシジルエーテル、ポリエチレングリコールジグリシジルエーテル、グリセロールポリグリシジルエーテル、ジグリセロールポリグリシジルエーテル、１，２−エポキシブタン、ポリグリセロールポリグリシジルエーテル、イソプレンジエポキシド、および脂環式ジエポキシド、１，４−シクロヘキサンジメタノールジグリシジルエーテル、グリシジル  ２−メチルフェニルエーテル、グリセロールプロポキシレートトリグリシジルエーテル、１，４−ブタンジオールジグリシジルエーテル、ソルビトールポリグリシジルエーテル、グリセロールジグリシジルエーテル、メタ−キシレンジアミンのテトラグリシジルエーテルおよびビスフェノールＡのジグリシジルエーテル、およびその混合物を含む群から選択される。
【００１９】
また、触媒は、反応基の反応性を増進させるために用いることができる。ポリエポキシド類の場合、例えば、脂肪酸の塩を用いることができる。カルシウムおよび亜鉛ステアレートは特に好ましい。
【００２０】
有利に用いられるカルボジイミド類の例は、ポリ（シクロオクチレンカルボジイミド）、ポリ（１，４−ジメチレンシクロヘキシレンカルボジイミド）、ポリ（シクロヘキシレンカルボジイミド、ポリ（エチレンカルボジイミド）、ポリ（ブチレンカルボジイミド）、ポリ（イソブチレンカルボジイミド）、ポリ（ノニレンカルボジイミド）、ポリ（ドデシレンカルボジイミド）、ポリ（ネオペンチレンカルボジイミド）、ポリ（１，４−ジメチレンフェニレンカルボジイミド）、ポリ（２，２'，６，６'，テトラ−イソプロピル−ジフェニレンカルボジイミド）、（スタバックソール（Stabaxol）（登録商標）Ｄ）、ポリ（２，４，６−トリイソプロピル−１，３−フェニレンカルボジイミド）（スタバックソール（登録商標）Ｐ−１００）、ポリ（１，３，５−トリイソプロピル−フェニレン−２，４−カルボジイミド）、ポリ（２，６ジイソプロピル−１，３−フェニレンカルボジイミド）（スタバックソール（登録商標）Ｐ）、ポリ（トリルカルボジイミド）、ポリ（４，４'−ジフェニルメタンカルボジイミド）、ポリ（３，３'−ジメチル−４，４'−ビフェニレンカルボジイミド）、ポリ（ｐ−フェニレンカルボジイミド）、ポリ（ｍ−フェニレンカルボジイミド）、ポリ（３，３'−ジメチル−４，４'−ジフェニルメタンカルボジイミド）、ポリ（ナフタレンカルボジイミド）、ポリ（イソホロンカルボジイミド）、ポリ（クメンカルボジイミド）、ｐ−フェニレンビス（エチルカルボジイミド）、１，６−ヘキサメチレンビス（エチルカルボジイミド）、１，８−オクタメチレンビス（エチルカルボジイミド）、１，１０−デカメチレンビス（エチルカルボジイミド）、１，１２ドデカメチレンビス（エチルカルボジイミド）およびその混合物を含む群から選択される。
【００２１】
好ましくは、本発明の二酸ジオールを由来とするポリエステルは、溶融状態において、１８０℃およびフローグラジエントγ＝１０３．７ｓ-1での９００〜１３００パスカル、より好ましくは１０００〜１２５０パスカルのせん断粘度、１８０℃での１×１０-4未満、より好ましくは０．８×１０-4未満の熱安定度定数、１８０℃での２．３〜４、より好ましくは２．５〜３ｇの溶融強度、１８０℃での破断延伸比＞５０、より好ましくは＞７０により特徴付けられる。
【００２２】
好ましくは、本発明の二酸ジオールを由来とするポリエステルは、７０〜１６０℃、より好ましくは１００〜１４５℃の溶融温度、５０〜６００ＭＰａ、より好ましくは７０〜２５０ＭＰａの弾性率、および１２０，０００と１８０，０００との間、より好ましくは１３０，０００と１６０，０００との間の重量平均分子量Ｍｗを有する。
【００２３】
本発明の生分解性ポリエステルは、驚くべきことに、３００℃でのＭＦＩ＝７ｇ／分  押出しコーティング用ＬＤＰＥグレードと同じパラメータの値の約２倍程度の２４０℃での溶融強度を示す。
【００２４】
本発明の二酸ジオールを由来とするポリエステルは、１９０℃および２．１６ｋｇでの７〜２０、より好ましくは９〜１５ｇ／分のＭＦＩ、１８０℃でフローグラジエントγ＝１０３．７ｓ-1を伴う５００〜７００パスカルのせん断粘度を有する、実質的に線状ポリエステルプレカーサーに由来する、押出法の手段により好んで得ることができる。好ましくは、ポリエステルプレカーサーは、１００，０００〜１３０，０００の間の重量平均分子量Ｍｗを有する。前述の反応性押出法は、本発明のポリエステルのような本質的にゲルを含まないポリエステルの達成に対応する濃度を有する官能基のようなポリエステルプレカーサーの末端反応点に利用され得る試薬の結果として、実質的に線状ポリエステルプレカーサーのいくつかの鎖を、本発明のポリエステルの分岐に成らせなければならない。
【００２５】
好ましくは、本発明の生分解性ポリエステルは、Ｈ１  ＮＭＲ  ３００ＭＨｚにより測定される、０．１〜０．８％、好ましくは０．２〜０．７モル％の末端不飽和の含量を有する、実質的に線状ポリエステルプレカーサーを由来とする反応性押出法により得られる。
不飽和含量の測定に関して、３０°パルス位相、スペクトルレンジ＝４ｋＨｚ、５秒の遅延および動作６０００ｓｃａｎに特徴付けられるパルス捕捉系列（pulse-acquisition sequence）を用いるＨ１  ＮＭＲ  ３００ＭＨｚにより実施し得る。
【００２６】
末端不飽和は、重合段階もしくはポリマープレカーサーの処理中の制御された分解、または適応する不飽和モノマーの添加で生成させることができる。
制御された分解は、不飽和を生成させるために必要な時間、閉環境で、上記の溶融温度にポリマーを保持する熱処理を意味する。
【００２７】
好ましくは、本発明の生分解性ポリエステルは、ポリマーのＫＯＨ／ｋｇの１０〜２００、より好ましくは１５〜１５０、さらに好ましくは２０〜７０当量の量で末端酸基の含量を有する、実質的に線状ポリエステルプレカーサーに由来する反応性押出法により得ることができる。
これらの二酸ジオールに由来し、実質的に線状のポリエステルプレカーサー類は、脂肪族および脂肪族−芳香族生分解性ポリエステル類から有利に選択される。
【００２８】
二酸ジオール由来の脂肪族ポリエステル類について、それらは、脂肪族二酸類および脂肪族ジオール類を由来として得られる。
脂肪族−芳香族ポリエステル類について、それらは、主として多官能性芳香族酸類からなる芳香族部分、ならびに脂肪族二酸類および脂肪族ジオール類およびその混合物からなる脂肪族部分を有する。
【００２９】
多官能性芳香族酸類は、フタル酸タイプおよびそのエステル類、好ましくはテレフタル酸、フランジカルボン酸およびそのエステル類、好ましくは２，５−フランジカルボン酸のジカルボキシル芳香族化合物類、およびそれらの組み合わせを意味する。
脂肪族二酸類は、しゅう酸、マロン酸、こはく酸、グルカル酸、アジピン酸、ピメリン酸、スベリン酸、アゼライン酸、セバシン酸、ウンデカン酸、ドデカン酸およびブラシル酸のようなＣ2〜Ｃ13の炭素数を有する脂肪族ジカルボン酸類およびそのエステル類を意味する。
セバシン酸、アゼライン酸、ブラシル酸およびこはく酸のような、炭素数再生可能な原料、エステル類およびその混合物由来のジカルボン酸類が好ましく、より好ましくはセバシン酸である。
【００３０】
本発明の二酸ジオールタイプのポリエステルにおいて、ジオール類は、２つのヒドロキシル基を有する化合物を意味する。Ｃ2〜Ｃ13の脂肪族ジオール類が好ましい。
脂肪族ジオール類の例は、１，２−エタンジオール、１，２−プロパンジオール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０-デカンジオール、１，１１-ウンデカンジオール、１，１，２−ドデカンジオール、１，１，３−トリデカンジオール、１，４−シクロヘキサンジメタノール、ネオペンチルグリコール、２−メチル−１，３−プロパンジオール、ジアンヒドロソルビトール、ジアンヒドロマンニトール、ジアンヒドロイジトール、シクロヘキサンジオール、シクロヘキサンメタンジオール、イソソルビドおよびその混合物を含む。ブタンジオールおよびエチレングリコールならびにその混合物が特に好ましい。
【００３１】
実質的に線状脂肪族−芳香族ポリエステル類は、４０〜７０％、好ましくは４５〜６０モル％の範囲、より好ましくは５０と６０モル％との間の芳香族酸類の含量により特徴付けられる。
有利に、分岐剤（branching agents）は、０．５％未満、好ましくは０．２％未満の量でポリマープレカーサー類に添加することができる。前記分岐剤は、ポリ酸類、ポリオール類、ポリエポキシ類およびその混合物のような多官能性分子類の群から選択される。
【００３２】
ポリ酸類の例は、１，１，２エタントリカルボン酸、１，１，２，２エタンテトラカルボン酸、１，３，５ペンタトリカルボン酸、１，２，３，４シクロペンタテトラカルボン酸、リンゴ酸、クエン酸、酒石酸、３−ヒドロキシグルタル酸、粘液酸、トリヒドロキシグルタル酸、ヒドロキシイソフタル酸、誘導体およびその混合物である。
ポリオール類の例は、グリセロール、ヘキサントリオール、ペンタエリスリトール、ソルビトール、トリメチロールエタン、マンニトール、１，２，４ブタントリオール、キシリトール、１，１，４，４−テトラキス（ヒドロキシメチル）シクロヘキサン、アラビトール、イジトールおよびその混合物である。
【００３３】
本発明の脂肪族および脂肪族−芳香族ポリエステル類は、３０％を超えない、好ましくは２０％を超えない割合で、ランダムおよびブロックの両方のヒドロキシ酸タイプのコポリマーを含むことができる。
ＤおよびＬの乳酸、グリコール酸、酪酸、吉草酸、ヘキサン酸、ヘプタン酸、オクタン酸、ノナン酸、デカン酸、ウンデカン酸、ドデカン酸、トリデカン酸、テトラデカン酸、ペンタデカン酸、ヘキサデカン酸、ヘプタデカン酸およびオクタデカン酸タイプのヒドロキシ酸が好ましい。主鎖に３または４の炭素を有するタイプのヒドロキシ酸が好ましい。
また、例え好ましくなくとも、本発明は、主鎖に平均して４より多い炭素を有するヒドロキシ酸のポリエステル類も含めることができる。
本発明の異なるポリエステル類の混合物も、本発明に含めることができる。
【００３４】
本発明の生分解性ポリエステル類は、規格ＥＮ１３４３２による生分解性であるのが好ましい。
本発明のポリエステルの化学−物理特性は、押出しコーティングプロセスにおける保証について言えば、溶融生成物の高い強度および高い安定性、低いネックイン（押出機から産出されるポリマー積層層の幅と紙基材上のポリマー積層層との差異）、溶融フィルムの断面の制限された変動（共鳴またはウェブ不安定現象の引き入れが原因の）、高い破断延伸比および押出機の受け入れ得る原動力消費である。
【００３５】
せん断粘度の測定について、規格ＡＳＴＭ  Ｄ−３８３５-９０「キャピラリーレオメータによるポリマー材料の特性の測定のための試験方法」が、Ｔ＝１８０℃、Ｄ＝１ｍｍおよびＬ／Ｄ＝３０のキャピラリーを伴うγ＝１０３．７ｓ-1で用いられる。
【００３６】
溶融温度の測定について、示差走査熱量測定法（ＤＳＣ）により測定することができる。測定は、次の熱プロファイル：
−  −２０℃から１８０℃までの２０℃／分での第１のスキャン；
−  １８０℃から−２０℃までの１０℃／分での第２のスキャン；
−  −２０℃から１８０℃までの２０℃／分での第３のスキャン
で行うことができる。
溶融温度は、第３のスキャンの温度記録図における吸熱ピーク値として採用される。
【００３７】
弾性率は、規格ＡＳＴＭ  Ｄ−６３８-９１「プラスチックの引張特性のための試験方法」により測定される。また、弾性率は、規格ＡＳＴＭ  Ｄ−８８２-９１（２３℃および５５％ＲＨ、Ｖｏ＝５０ｍｍ／分での牽引）により測定される。
【００３８】
重量平均分子量Ｍｗについて、ゲルパーミエーションクロマトグラフィーにより測定することができる。測定は、直列の３種のカラムのセット（５μｍの粒径およびそれぞれ５００Å、１，０００Åおよび１０，０００Åの空隙率）、屈折率検出器、溶離液としてクロロホルム（流量１ｍｌ／分）を用い、かつ参照標準としてポリスチレンを用いて、４０℃の温度に維持されたシステムで行うことができる。
【００３９】
ＭＦＩの測定について、規格ＡＳＴＭ  Ｄ−１２３８-８９「押出プラストメータによる熱可塑性樹脂のメルトフローレートのための試験方法」により、１９０℃および２．１６ｋｇで測定される。
【００４０】
末端酸基の測定は、次のように行うことができる：本発明のポリエステルの１．５〜３ｇを１００ｍｌ三角フラスコの中に置く。樹脂を溶解するためにクロロホルムの６０ｍｌを加える。完全に溶解した後に２-プロパノールの２５ｍｌおよび測定直前に脱イオン水の１ｍｌを加える。このようにして得られた溶液を、例えば、非水−塩基滴定の使用のために設計されたガラス電極のような、滴定の当量点を決定するための適当な指示器を用いて予備の標準ＫＯＨ／エタノール溶液で滴定する。末端酸基含量は、次の等式：
【数１】
2011518235.tif 000003
【００４１】
式中、
Ｖeq＝試料の滴定の当量点でのＫＯＨ／エタノール溶液のｍｌ；
Ｖb＝ブランク滴定において、ｐＨ＝９．５に達するために必要なＫＯＨ／エタノール溶液のｍｌ；
Ｔ＝ＫＯＨ／エタノール溶液のモル濃度；
Ｐ＝試料のｇ
に基づいて、ＫＯＨ／エタノール溶液の消費量から算出することができる。
【００４２】
メルトでの熱安定度定数（Ｋ）について、与えられた温度でメルトを保持し、２つの異なる時点でメルトの粘度値を測定する、規格ＡＳＴＭ  Ｄ  ３８３５−アペンディックスにより、測定することができる。熱安定度定数（Ｋ）は、（ln（η１／η２））／（ｔ２−ｔ１）として、すなわち（η１／η２）の自然対数と差分（ｔ２−ｔ１）との間の比（式中、ｔ１およびｔ２は、試験温度でのメルトの２つの異なる永続時間を示し、かつη１およびη２は、メルトのそれぞれの粘度を示す）として示される。試験は、Ｔ＝１８０℃で、Ｄ＝１ｍｍおよびＬ／Ｄ＝３０のキャピラリーでのγ＝１０３．７ｓ-1で行われる。
【００４３】
溶融強度および破断延伸比について、それらは、１８０℃でかつ１ｍｍの直径およびＬ／Ｄ＝３０を有するキャピラリーを用いるγ＝１０３．７ｓ-1で、１２ｍｍ／秒2の一定の加速でかつ１１０ｍｍの延伸長さで延伸する、国際規格ＩＳＯ  １６７９０:２００５により測定することができる。破断延伸比の値は、ポリマーの引張伸び曲線の共鳴不安定領域の凝固前の延伸比の最大値によって表される。延伸比は、引張速度とキャピラリーの出口でのメルトの速度との比である。溶融強度は、引張伸び曲線の共鳴不安定領域の凝固前の溶融フィラメントで記録される最大力である。
【００４４】
本願の明細書および請求項に記載された数値は、数値を測定するための本願に記載されたタイプの従来の測定技術の実験誤差ではなく、表示される数値と異なる数値を含めて理解されるべきである。
【００４５】
本発明の二酸ジオールを由来とするポリエステルの溶融強度特性は、特に長い分岐鎖の存在と関連している。前記の特性は、メルトの層の非常に薄い厚さにおいてでさえ低いネックイン値、ポリマーカーテンの高いウェブ安定性、高い加工速度および高い温度を保証して、ポリマーを、押出しコーティング用の一般的な装置において非常に効果的に使用することをさせる。
【００４６】
本発明の意味において、高いウェブ安定性は、１０ｍｍ未満のポリマーカーテンエッジの変動を意味する。特に、このポリマーカーテンの高いウェブ安定性は、押出しコーティング用ＬＤＰＥグレードと比較される。その溶融カーテンの高いウェブ安定性のために、本発明のポリマーは、高い加工速度においても品質問題を防いで、ポリマーカーテンエッジの極めて低い変動を引き起こす。
【００４７】
本発明の反応性押出法は、実際に、市販のポリエステル（バスフエージー（BASF AG）によるエコフレックス（Ecoflex）（登録商標）７０１１のような）の曲線と同様のフロー曲線をとるが、完全に異なる溶融強度を有するメルトを引き起こす。本発明の生分解性ポリエステルは、実際に、引張力市場における通常のポリエステルの溶融温度より、より高い温度でさえ適用される引張力に抵抗する能力があり、それによってネックイン現象における大幅な削減および工業的な押出しコーティングプロセスにおいて必要な溶融カーテンのウェブ安定性を共に許容する。
【００４８】
本発明の生分解性ポリエステルは、高い流動性、高い弾性、高い溶融強度および高い破断延伸比の組み合わせのために、食品グレードフィルム用ＰＶＣよりも高い溶融安定性を有する極めて薄いフィルムを製造させる。これらのフィルムは、特に、反応性核種としてそれらを非常に少量で添加するペルオキシド類を用いて、反応性押出法を行ったときに、高い透明性によっても特徴付けることができる。この外観は、この発明のポリマーに特に食品接触の適応を与える。
【００４９】
本発明のポリエステルのメルトの高い熱安定性は、３００℃以下の温度での押出しコーティングプロセスで紙積層板を製造させる。これらの温度は、ポリエチレンを用いる従来のシステムで用いられるそれと完全に比較できる。押出機からもたらされる、この高い熱安定性は、溶融カーテンの高いウェブ安定性と共に、それらのより低い熱安定性にために、このような高い温度で加工できない、イーストマンケミカル（Eastman Chemical）によるイースターバイオ（Eastar-bio）（登録商標）またはポリ乳酸のような、市場での一般的な生分解性ポリエステルに対して、本発明の押出しコーティング用のポリマーが明らかに顕著な成分であることを表す。
【００５０】
本発明のポリエステルの溶融状態での粘度値は、紙基材への効果的な接着性も許容する。また、それらは、通常の加工温度において、ポリマーの熱安定性について妥協して処理することなしに、高い生産性を保証し得る。
【００５１】
前述の本発明のポリエステルの化学−物理特性は、一般的にポリエチレンに用いられる従来の押出しコーティングシステムに、機械装置の構造および条件を特に修正することなしに供給するという効果を、本発明のポリエステルに与える。実際に、本発明のポリマーの熱、弾性およびレオロジー特性の組み合わせは、それを「コーティンググレード」として定義されることを許容する。これは、イースターバイオ（登録商標）およびエコフレックス（登録商標）のような一般的なポリエステルに対して、一般的な押出しコーティングシステムでの加工における、現在の重要な難点どころか、特別に複雑な修正をする場合を除いて、溶融カーテンのネックインおよび不安定性の問題による上記のすべてを、本発明のポリマーのさらなる重要な違いの評価を与える。
【００５２】
特に好ましい実施態様において、長い分岐鎖を有する、二酸ジオール由来の本質的にゲルを含まない生分解性ポリエステルは、有機ペルオキシド類を伴う反応性押出により得られる。
当然、本発明の生分解性ポリエステルは、他の生分解性および非生分解性ポリマー類と混合物ことができる。
【００５３】
本発明のポリエステルと配合することができるポリマー類のタイプは、ポリオレフィン類、ポリアミド類、脂肪族および脂肪族−芳香族ポリエステル類、ポリブチレンテレフタレート、ポリエチレンテレフタレートおよびポリトリメチレンテレフタレート、ならびにその混合物を含む。他のポリマー類は、ノバモント（Novamont）特許に記載されているようなスターチおよび改質スターチ、ポリアルコール類および誘導体、ヒドロキシプロピルセルロース、セルロースアセテート、セルロースプロピネート、セルロースブチレート、セルロースアルカノエートおよびそのコポリマー類およびブレンドとの組み合わせ、可塑化されたもしくはされていない、セルロースのエステル類、一般に生分解性脂肪族ポリエステル類、エーテル類、ウレタン類、脂肪族−芳香族ポリエステル類を分解および複合することができる。
【００５４】
ポリオール類および誘導体の場合、これらは、ＰＶＯＨそのものおよびグリセロール、エチレングリコール、ペンタエリスリトール、ソルビトール、マンニトールなどの可塑剤で改質されたもの、そのおよびエアープロダクトアンドケミカルス（Air Products and Chemicals）によりヴィネックス（Vinex）として入手可能なポリアルケネオキシアクリレートとの組み合わせを含む。
ヒドロキシプロピルセルロースまたはヒドロキシプロピルスターチの誘導体の例は、ハーキュレス（Hercules）により製造されているタイプKLUCEのヒドロキシプロピルセルロース−非イオンセルロースエーテルを含む。
セルロースエステル類は、アセテート類（テナイテスイーストマン（Tenites Eastman）は、プロピオネート類およびブチレートをも含む）、セルロースアセテートプロピオネートおよびセルロースアセテートブチレートを含む。
【００５５】
生分解性脂肪族ポリエステル類の例は、ポリヒドロキシブチレート（ＰＨＢ）、ポリヒドロキシブチレート−バレレート（ＰＨＢＶ）、タイプＣ6〜Ｃ22のポリポリヒドロキシブチレートアルコノエート、ポリカプロラクトン、バイオノッレ１０００ショウワ（Bionolle 1000 Showa）として市販されているポリブチレンスクシネート、タイプバイオノッレ３０００ショウワのポリブチレンスクシネートアジペート、ポリグリコール酸（ＰＧＡ）、ポリ乳酸（ＰＬＡ）の種々のグレード、ポリブチレンオキサレート、ポリエチレンアジペート、ポリパラジオキサノンを含む。
エーテル類の例は、ポリプロピレンオキサイドおよびポリプロピレンオキサイドとのコポリマー類ならびにポリエチレンオキサイドおよびポリエチレンオキサイドとのコポリマー類を含む。
【００５６】
ポリカーボネート類の例は、ポリエチレンカーボネート、ポリブチレンカーボネートおよびポリトリメチレンカーボネートならびにその誘導体を含む。
ウレタン類の例は、ポリエステル類およびポリエーテル類ならびにその混合物由来のウレタン類を含む。
脂肪族−芳香族ポリエステル類は、タイプバイオマックスデュポン（Biomax Dupont）ポリブチレンスクシネート−コ−テレフタレートを含む。
特に好ましい実施態様において、前記ポリマー類は、本発明の生分解性ポリエステルを２０重量％未満の量で混合することができる。
【００５７】
本発明の生分解性ポリエステルは、剥離剤、可塑剤、充填剤、滑剤、核剤および界面活性剤、帯電防止剤、顔料および接着性を向上させる添加剤のような加工添加剤を混合することもできる。
低分子量の公知のポリマー添加剤は、自己遮蔽する食品グレードフィルムの場合のように、フィルムの厚さを増加させるために添加することもできる。
【００５８】
剥離剤について、それらを、押出しコーティングシステムの冷却ロールからの紙積層品のポリマー表面層の剥離を促進するために、本発明のポリエステルに添加することができる。
実際、冷却ロールは、ロールに対するポリマーの接着性の問題を与えることなしに、
一般に高温に保持されるべきである。このアプローチは、冷却ロールの凝結の現象を防ぐ。本発明のポリエステルの場合、冷却ロールは、一般に大気温度と同じかまたは高い温度で保持される。本発明のポリエステルのガラス転移温度は、一般に冷却ロールよりも低い。したがって、冷却ロールに対する接着性において、有効な現象を与える添加剤の添加が有用であり得る。
【００５９】
これらの添加剤は、２つの方法：冷却ロールの温度よりも高い種々の転移温度を有しかつ低いせん断速度での高い粘度を有する本発明のポリエステルのメルト中に分散された、粒子を形成し得るポリマー類を添加する、または粘着性の現象を抑制する薄層をつくる表面へ移動する、１つまたはそれ以上の剥離剤（直接および同様に）を添加するのいずれかにより、添加することができる。
【００６０】
メルト中に分散された粒子を形成し得る粒子を添加する場合、冷却ロールの表面上の固体粒子の存在は、接触表面と共に減少し、したがって接着性の現象が低減する。第２の場合、セルロースおよびスターチの誘導体が現状のままで、特に興味深い可塑性を与える。可塑性を与えるかアセチンを含まない、セルロースのアセテートプロピオネート類およびアセテートブチレートは、特に適応する。
【００６１】
表面を移動させかつ粘着性の現象を抑制する薄層をつくる剥離剤を添加する場合、それらは、脂肪酸類およびアミド類のエステル類、金属塩類、石鹸類、ステアリン酸亜鉛、ステアリン酸カルシウム、ステアリン酸アルミニウム、ステアロマイド類、エルクアミド類、ベヘンアミド類、白蜜蝋、カンデリラワックスのようなパラフィンまたは炭化水素ワックス類、イーストマンエポレン（Eastman Epolene）N21、Epolene E20およびロフィオ（Lofio）HOB7119のような高いＭＦＩを有するＬＤＰからなる群から有利に選択することができる。
可塑剤は、グリシンのエステル類からなる群、特にグリセリルジアセテート、グリセリルジステアレートから選択することができる。
【００６２】
充填剤について、それらは、無機および／または有機であり得る。特に好ましい無機充填剤の例は、タルク、シリカ、マイカ、カオリン、二酸化チタンおよびウォラストナイトである。好ましい有機充填剤は、炭素数再生可能な系統の原材料から誘導され、かつセルロースおよび天然スターチまたは改質スターチからなる群から有利に選択することができる。
充填剤の使用の組み合わせまたはそれに代わるものとして、化学または物理表面処理、例えば、本発明の紙積層品のポリマー層とそれと直接接触する表面との間への直接接触を低減するのに適する材料の添加も用いることができる。
これらの処理の例は、コロナまたは火炎処理である。
【００６３】
滑剤は、ステアリン酸亜鉛、ステアリン酸カルシウム、ステアリン酸アルミニウムおよびアセチルステアレートのような脂肪酸のエステル類および金属塩類からなる群から選択することができる。
核剤の例は、タルク、サッカリンナトリウム塩、カルシウムシリケート、安息香酸ナトリウム、カルシウムチタネート、窒化ホウ素、アイソタクチックのポリプロピレン、低分子量のＰＬＡおよびＰＢＴを含む。
【００６４】
アニオン、カチオンおよび非イオン界面活性剤は、透水性を改質、特に本発明の紙積層品の水透過性を増加させるために、長い分岐鎖を有する本質的にゲルを含まない生分解性ポリエステルと混合することができる。
帯電防止剤は、本発明において用いることができる。好ましい帯電防止剤は、カチオン、アニオンおよび非イオン界面活性剤である。
【００６５】
カチオン界面活性剤について、それらは一般にしばしば長いアルキル鎖を含む嵩高いカチオン（例えば、第４級アンモニア、ホスホニウムまたはスルホニウム（solphonium）塩）、任意に環の一部になり得る第４級基（すなわち、イミダゾリン）からなる。殆どの場合、アニオンは、四級化工程（quaternization process）に由来する塩化物、硫酸塩または硝酸エステルイオンである。
アニオン界面活性剤は、一般に、一般にアルカリ金属またはアルカリ土類により中和された、アルキルスルホネート類、サルフェート類、ホスフェート類、ホスホネート類、ジチオカルバメート類、カルボキシラーゼからなる。
【００６６】
非イオン帯電防止剤は、しばしば前述のイオン化合物より極めて低い極性を有し、かつポリエトキシレートエステル類およびエーテル類、脂肪酸のエステル類またはアミド類、脂肪酸のモノおよびジグリセリド類からなる中性の界面活性剤である。
【００６７】
必要に応じて、二酸化チタン、クレー、銅フタロシアニン、炭酸カルシウム、タルク、マイカ、シリカ、ケイ酸塩、鉄酸化物および水酸化物、カーボンブラックならびに酸化マグネシウムのような顔料および染料または色安定化剤を添加することができる。
いくつかの応用において、基板に対する接着性を向上させる添加剤を添加するのが好都合である。これらの物質は、一般に、サイズ剤と呼ばれる。これらの添加剤は、本発明のポリマーの粘度を低下させ、これが次々に基板、特に紙に対するこのポリマーの接着性を容易にする傾向があると考えられる。
これらの添加剤は、１〜１０重量％、より好ましくは３〜６重量％の範囲の量で添加されるのが好ましい。
【００６８】
また、本発明は、少なくとも１つの剛体のまたは柔軟性の基材および少なくとも１つの、本発明の押出しコーティング用生分解性ポリエステルを含む第１の層を含む積層品に関する。
好ましい態様において、本発明の積層品は、少なくとも１つの剛体のまたは柔軟性の基材および少なくとも、少なくとも１つの、本発明の押出しコーティング用生分解性ポリエステルの８０％を含む第１の層からなる。
【００６９】
主として、本発明の生分解性ポリエステルは、積層品を得るために、押出しコーティングシステムで溶融され、この溶融が剛体のまたは柔軟性の基材上に積層される。特に好ましい剛体の基材は、紙および厚紙の１つまたはそれ以上の層からなる基材である。
【００７０】
柔軟性の基材について、本発明は、本発明のポリエステルが１つまたはそれ以上の他の柔軟性のフィルムと積層された、または１つまたはそれ以上の、ＰＬＡ（ポリ乳酸）、セロファン、セルロースアセテート、スターチアセテート、改質または非改質の、分解スターチ（destructured starch）または含有分解スターチからなるような、他の柔軟性の基板上に押出された多層に関する。
【００７１】
特に好ましい態様において、本発明の積層品は、基材が１つまたはそれ以上の剛体の基材および１つまたはそれ以上の柔軟性の基材である多層である。
剛体のまたは柔軟性の基材および本発明の生分解性ポリエステルに加えて、１つまたはそれ以上の異なる材料の層が本発明の積層品に挿入されてもよい。
【００７２】
これらの多層で得られ得る製品の例は、紙と接触する本発明のポリマーの特性を改質した、他のポリマー類の層と組み合わせた多層製品である。特にこの群は、持ち帰り食料品用の温液用の容器、ハンバーガー包装紙および容器の場合のような、改善された遮断特性を有する外表面を有する多層を含む。
【００７３】
高い水遮断特性を要求される場合、本発明の積層品の外層上にアルミニウムまたはシリカ／シリケートを堆積するための真空処理を行うこともできる。さらに、高い水および酸素遮断性が要求されるとき、例えば、押出しコーティングプロセスの手段により、単または多層の柔軟性のフィルム上に本発明の生分解性ポリエステルをコートすることができる。
【００７４】
前記柔軟性のフィルムは、好ましくは、高い弾性率を有しかつ予め蒸着手段により例えばアルミニウム、シリカおよびシリケートのような無機材料で処理された、炭素数再生可能な系統の生分解性材料（例えばＰＬＡのような）からなる。本発明の生分解性ポリエステルの強靭性および接着強度は、欠陥の形成を抑える。これは、無機材料でコートされた層の性能を改善する。
【００７５】
その優れた品質のために、本発明のポリエステルは、どのような場合でも、フィルムブローイング方法のような、押出しコーティング以外の方法で用いることができる。したがって、本発明は、本発明のポリエステルでブローされたフィルムを含む。実際に、その優れた溶融安定性のために、本発明のポリエステルは、５μｍの厚さを有するフィルムを得る可能性を有する、その最適バブル工程を許容する。したがって、工業のおよび食品包装用の伸張性フィルムとして、同時押出しフィルムの構成成分として用いることができる。
【００７６】
これらのフィルムは、分解スターチからなる高い酸素遮断を有するフィルムの内部強化層、または外部防水層としての同時押出しに、およびその親水性および疎水性のポリマー
類またはＰＬＡとの組み合わせに用いることができる。いずれの場合でも、本発明のフィルムは、前述のポリマー類を含むことができる。
【００７７】
本発明の積層品で得られた製品は、本発明の一部である。前記製品は、一般に、バター、マーガリン、チーズ用のタブ、一般に、ペットフード用の袋または箱、包装用積層紙ホイール、異なるタイプの食品、特にハンバーガーおよび肉類用の容器および包装紙、アイスクリームおよびヨーグルト用のカップ、蓋、酸化および／または湿気に敏感な食品、特にビスケット、コーヒーおよびポテトフライに適する高い水および酸素遮断性を有する食品包装用の柔軟性のフィルムのような、箱、カップ、プレート、食品包装を含む。また、紙またはカードの２層が本発明のポリエステルの層により接着された、押出し貼り合せにより得られた製品は、本発明の一部である。このような半完成品は、砂糖、洗剤用容器、または特に空気に対して敏感な粉末のいずれの場合に、その容器を得るために用いることができる。
【００７８】
最後に、本発明の生分解性ポリエステルを接着剤なしで用いることができる有利な封止特性を示す。
【実施例】
【００７９】
実施例
実施例１
ＭＦＩ＝１０（１９０℃および２．１６ｋｇでの）、１８０℃でのせん断粘度およびγ＝１０３．７ｓ-1＝６２０パスカルならびに末端不飽和の含量＝０．４８モル％を有し、テレフタル酸含量＝５６モル％を有するポリブチレンセバケート−コ−テレフタレート（ＰＢＳＴ）を合成した。
不飽和含量の測定について、３０°パルス位相、スペクトルレンジ＝４ｋＨｚ、５秒の遅延および動作６０００ｓｃａｎに特徴付けられるパルス捕捉系列を用いるＨ１  ＮＭＲ  ３００ＭＨｚを用いることにより実施した。測定のための周波数領域は、４．９と６．２ｐｐｍとの間である。６５ｍｇ／ｍｌの濃度のポリマーの重水素化クロロホルム溶液を調製することにより、分析用の試料を得た。
【００８０】
顆粒形態のこのＰＢＳＴ２７０ｋｇを、α，α'−ジ（ｔ−ブチルペルオキシ）ジイソプロピルベンゼン（ルペロックス（Luperox）Ｆ）（ＰＢＳＴに対して０．０１４８重量％に対応する）の４０ｇと共に、下記の条件：
−押出機温度分布：３０−１００−２００−１７０−１５０×３−１６０℃
−二軸スクリュー回転速度：２４０ｒｐｍ
−頭部圧力：９８ｋｇ／ｃｍ2
−積極的な脱気（active degassing）
の二軸押出機に供給した。
得られた製品は、１８０℃でのせん断粘度＝１１９４パスカル、熱安定度定数＝０．５８×１０-4、１８０℃での溶融強度＝２．８ｇおよび１８０℃での破断延伸比＞８０を有した。
【００８１】
次いで、このように得られた顆粒形態の製品を、次の特性：
−押出機スクリュー直径＝６０ｍｍ（Ｌ／Ｄ＝３０）
−押出機温度分布：２１０−２３０−２５０−２６０−２４０−２３５℃
−押出機スクリュー回転速度：７０ｒｐｍ
−冷却ロール温度：外気
−頭部高さ（空隙）：１４０ｍｍ
−ダイリップ開口＝０．７ｍｍ
−ウェブ幅＝５５０ｍｍ
−線速度：１００ｍ／分
−カップ用厚紙に用いられる紙
を有する押出しコーティングシステムに供給した。
【００８２】
実施例２
ＭＦＩ＝１１．１（１９０℃および２．１６ｋｇでの）、１８０℃でのせん断粘度＝５８０パスカルおよび末端不飽和の含量＝０．４２モル％を有し、テレフタル酸含量＝５６モル％を有するポリブチレンセバケート−コ−テレフタレート（ＰＢＳＴ）を合成した。
顆粒形態のこのＰＢＳＴ２８０ｋｇを、α，α'−ジ（ｔ−ブチルペルオキシ）ジイソプロピルベンゼン（ルペロックスＦ）（ＰＢＳＴに対して０．０２３９重量％に対応する）の６７ｇと共に、下記の条件：
−押出機温度分布：３０−１００−２００×３−１８０−１５５−１６５℃
−二軸スクリュー回転速度：２００ｒｐｍ
−頭部圧力：９３ｋｇ／ｃｍ2
−積極的な脱気
の二軸押出機に供給した。
【００８３】
得られた製品は、１８０℃でのせん断粘度＝１１７０パスカル、熱安定度定数＝０．３×１０-4、１８０℃での溶融強度＝２．６ｇおよび１８０℃での破断延伸比＞５０を有した。
次いで、このように得られた顆粒形態の製品を、実施例１と同様の押出しコーティングシステムに供給した。
【００８４】
実施例３
ＭＦＩ＝１０．６（１９０℃および２．１６ｋｇでの）、１８０℃でのせん断粘度＝５９０パスカルおよび末端不飽和の含量＝０．５１モル％を有し、テレフタル酸含量＝５６モル％を有するポリブチレンセバケート−コ−テレフタレート（ＰＢＳＴ）を合成した。
顆粒形態のこのＰＢＳＴ２８０ｋｇを、α，α'−ジ（ｔ−ブチルペルオキシ）ジイソプロピルベンゼン（ルペロックスＦ）（ＰＢＳＴに対して０．０１６重量％に対応する）の４５ｇと共に、下記の条件：
−押出機温度分布：３０−１００−００×３−１８０−１５５−１６５℃
−二軸スクリュー回転速度：２１０ｒｐｍ
−頭部圧力：９４ｋｇ／ｃｍ2
−積極的な脱気
の二軸押出機に供給した。
【００８５】
得られた製品は、１８０℃でのせん断粘度＝１２００パスカル、熱安定度定数＝０．２×１０-4、１８０℃での溶融強度＝２．９ｇおよび１８０℃での破断延伸比＞５０を有した。
次いで、このように得られた顆粒形態の製品を、実施例１と同様の押出しコーティングシステムに供給した。
【００８６】
実施例４（比較）
ＭＦＩ＝３．２（１９０℃および２．１６ｋｇでの）、１８０℃でのせん断粘度＝１１８５パスカルおよび末端不飽和の含量＜０．１モル％を有し、テレフタル酸含量＝４７モル％を有する、顆粒形態のポリブチレンアジペート−コ−テレフタレート（ＰＢＡＴ）２８０ｋｇを、α，α'−ジ（ｔ−ブチルペルオキシ）ジイソプロピルベンゼン（ルペロックスＦ）（ＰＢＡＴに対して０．０１２重量％に対応する）の３３ｇと共に、下記の条件：
−押出機温度分布：３０−１００−２００×３−１８０−１５５−１６５℃
−二軸スクリュー回転速度：２１０ｒｐｍ
−頭部圧力：９４ｋｇ／ｃｍ2
−積極的な脱気
の二軸押出機に供給した。
【００８７】
得られた製品は、１８０℃でのせん断粘度＝１１２５パスカル、熱安定度定数＝０，４×１０-4、１８０℃での溶融強度＝１．９ｇおよび１８０℃での破断延伸比＞８０を有した。
次いで、それを、実施例１と同様の押出しコーティングシステムに供給した。
【００８８】
実施例１、２および３の溶融ポリマー類は、高いウェブ安定性およびポリマーカーテンの低いネックインを示した。得られた積層品（半仕上の）は、紙基板に対するポリマー層の優れた接着性を示した。次いで、対応する蓋を有するアイスクリームおよびヨーグルトカップを製造するための従来の加工技術により得られた半完成品は、優れた水遮断特性により特徴付けられた。
対照的に実施例４の溶融ポリマーは、低いウェブ安定性およびポリマーカーテンの高いネックインを示した。
【図１】
2011518235.tif 000004
【図２ａ】
2011518235.tif 000005
【図２ｂ】
2011518235.tif 000006
【図３ａ】
2011518235.tif 000007
【図３ｂ】
2011518235.tif 000008
【図４ａ】
2011518235.tif 000009
【図４ｂ】
2011518235.tif 000010
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
溶融状態において、ＡＳＴＭ  Ｄ−３８３５により測定された１８０℃およびＤ＝１ｍｍ、Ｌ／Ｄ＝３０のキャピラリーでのフローグラジエントγ＝１０３．７ｓ-1でのせん断粘度８００〜１，６００パスカル；ＡＳＴＭ  Ｄ−３８３５  アペンディックスにより測定された１８０℃およびＤ＝１ｍｍ、Ｌ／Ｄ＝３０のキャピラリーでのフローグラジエントγ＝１０３．７ｓ-1での熱安定度定数Ｋ１．５×１０-4未満；国際標準ＩＳＯ  １６７９０：２００５により測定された１８０℃、Ｄ＝１ｍｍ、Ｌ／Ｄ＝３０のキャピラリーでのフローグラジエントγ＝１０３．７ｓ-1および１２ｍｍ／秒2の等加速度および１１０ｍｍの延伸長さで延伸される溶融強度２〜４．５ｇおよび１８０℃での破断延伸比＞３０により特徴付けられ、少なくとも１つの二酸および少なくとも１つのジオールに由来する単位を含み、長い分岐鎖を有し、本質的にゲルを含まないポリエステルである生分解性脂肪族−芳香族ポリエステル。
【請求項２】
溶融状態において、フローグラジエントγ＝１０３．７ｓ-1における９００〜１，３００パスカルのせん断粘度、１８０℃での１×１０-4未満の熱安定度定数Ｋ、１８０℃での溶融強度２．３〜４ｇおよび１８０℃での破断延伸比＞５０により特徴付けられる請求項１に記載された生分解性ポリエステル。
【請求項３】
溶融状態において、フローグラジエントγ＝１０３．７ｓ-1における１，０００〜１，２５０パスカルのせん断粘度、１８０℃での０．８×１０-4未満の熱安定度定数Ｋ、１８０℃での溶融強度２．５〜３ｇおよび１８０℃での破断延伸比＞７０により特徴付けられる請求項２に記載された生分解性ポリエステル。
【請求項４】
少なくとも１つの二酸および少なくとも１つのジオールに由来する単位を含むポリエステル プレカーサーの反応性押出を含むことを特徴とし、前記ポリエステルプレカーサーが、実質的に線状であり、１９０℃および２．１６ｋｇでの５〜３０ｇ／分のＭＦＩを有し、かつ０．１〜１モル％の量で末端不飽和の含量を有し、前記反応性押出法が、ペルオキシド類、エポキシド類およびカルボジイミド類から選択される化合物の添加した状態で行われる、請求項１に記載された生分解性ポリエステルの製造方法。
【請求項５】
実質的に線状ポリエステルプレカーサーが、１９０℃および２．１６ｋｇでの７〜２０ｇ／分のＭＦＩ、スピードグラジエントｇ＝１００ｓ-1を有する５００〜７００パスカルのせん断粘度を有し、かつ０．１〜０．８モル％の量で末端不飽和の含量を有することで特徴付けられる請求項４に記載された方法。
【請求項６】
実質的に線状ポリエステルプレカーサーが、１９０℃での９〜１５ｇ／分の ＭＦＩを有し、かつ０．２〜０．７モル％の量で末端不飽和の含量を有することで特徴付けられる請求項５に記載された方法。
【請求項７】
０．００１〜０．１％の量のペルオキシド類、０．０５〜１重量％の量のエポキシド類、０．０５〜１．５重量％の量のカルボジイミド類を添加することにより行われることで特徴付けられる請求項４に記載された方法。
【請求項８】
０．００４〜０．０９％の量のペルオキシド類、０．２〜０．５％の量のエポキシド類、０．１〜１重量％の量のカルボジイミド類を添加することにより行われることで特徴付けられる請求項７に記載された方法。
【請求項９】
０．００６〜０．０３％の量のペルオキシド類、０．１５〜０．８重量％の量のカルボジイミド類を添加することにより行われることで特徴付けられる請求項８に記載された方法。
【請求項１０】
用いられるペルオキシド類が、ジアルキルペルオキシド類の群から選択されることで特徴付けられる請求項４に記載された方法。
【請求項１１】
実質的に線状ポリエステルプレカーサーが、脂肪族および脂肪族−芳香族生分解性ポリエステル類の群から選択されることで特徴付けられる請求項４に記載された方法。
【請求項１２】
脂肪族生分解性ポリエステル類が、脂肪族ジカルボン酸類および脂肪族ジオール類を由来として得られることで特徴付けられる請求項１１に記載された方法。
【請求項１３】
脂肪族−芳香族生分解性ポリエステル類が、主として多官能性芳香族酸類からなる芳香族部分、ならびに脂肪族ジカルボン酸類および脂肪族ジオール類およびその混合物からなる脂肪族部分を有することで特徴付けられる請求項１１に記載された方法。
【請求項１４】
ジカルボキシル芳香族化合物類が、フタル酸およびそのエステル類，フランジカルボン酸およびそのエステル類の誘導体、ならびにそれらの組み合わせであることで特徴付けられる請求項１３に記載された方法。
【請求項１５】
前記脂肪族ジカルボン酸類が、Ｃ2〜Ｃ13 の炭素数を有することで特徴付けられる請求項１２および１３に記載された方法。
【請求項１６】
Ｃ2〜Ｃ13 タイプの脂肪族ジカルボン酸類が、再生可能な原料からなるものであることで特徴付けられる請求項１５に記載された方法。
【請求項１７】
脂肪族ジカルボン酸が、セバシン酸であることで特徴付けられる請求項１５に記載された方法。
【請求項１８】
ジオール類が、１，２−エタンジオール、１，２−プロパンジオール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、１，１３−トリデカンジオール、１，４−シクロヘキサンジメタノール、ネオペンチルグリコール、２−メチル−１，３−プロパンジオール、ジアンヒドロソルビトール、ジアンヒドロマンニトール、ジアンヒドロイジトール、シクロヘキサンジオール、シクロヘキサンメタンジオール、イソソルビドおよびその混合物からなる群から選択されることで特徴付けられる請求項１２および１３に記載された方法。
【請求項１９】
ジオール類が、ブタンジオール、プロパンジオールおよびエチレングリコールならびにその混合物であることで特徴付けられる請求項１８に記載された方法。
【請求項２０】
実質的に線状脂肪族−芳香族ポリエステル類が、４０と７０モル％との間の芳香族酸類の含量を有することで特徴付けられる請求項１４に記載された方法。
【請求項２１】
ポリエステルプレカーサー類が、０．５％未満の濃度で分岐剤で枝分かれされてなることで特徴付けられる請求項４に記載された方法。
【請求項２２】
分岐剤が、ポリオール類、ポリ酸類、ポリエポキシ類およびその混合物のような多官能性分子類から選択されることで特徴付けられる請求項２１に記載された方法。
【請求項２３】
ポリエステルが、規格ＥＮ１３４３２による生分解性である請求項１に記載された生分解性ポリエステル。
【請求項２４】
少なくとも１つの剛体のまたは柔軟性の基材および少なくとも１つの、請求項１に記載された生分解性ポリエステルを含む第１の層を含む積層品。
【請求項２５】
生分解性ポリエステルが、他の生分解性および非生分解性ポリマー類と混合されてなることで特徴付けられる請求項２４に記載された積層品。
【請求項２６】
生分解性ポリエステルが、剥離剤、可塑剤、充填剤、滑剤、核剤および界面活性剤のようなプロセス添加剤ならびに帯電防止剤、顔料および接着性を向上させる添加剤と混合されてなることで特徴付けられる請求項２４に記載された積層品。
【請求項２７】
剛体の基材が、１またはそれ以上の層の紙および厚紙からなることで特徴付けられる請求項２４に記載された積層品。
【請求項２８】
柔軟性の基材が、１またはそれ以上の柔軟性のフィルムからなることで特徴付けられる請求項２４に記載された積層品。
【請求項２９】
基材が、１またはそれ以上の剛体の基材および１またはそれ以上の柔軟性の基材からなることで特徴付けられる請求項２４に記載された積層品。
【請求項３０】
押出しコーティング用のポリマーが、８０％以上の少なくとも第１の層で形成されることで特徴付けられる請求項２４〜２９のいずれかに記載された積層品。
【請求項３１】
一般に、バター、マーガリン用のタブ、ペットフード用の袋または箱、包装用積層紙ホイール、異なるタイプの食品、特にハンバーガーおよび肉類用の容器および包装紙、アイスクリームおよびヨーグルト用のカップ、蓋、酸化および／または湿気に敏感な食品、特にビスケット、コーヒーおよびポテトフライに適する、高い水および酸素遮断性を有する食品包装用の柔軟性のフィルムのような箱、カップ、プレート、食品包装からなる群から選択される請求項２４〜３０のいずれかによる積層品で得られた製品。
【請求項３２】
請求項１〜３のそれぞれに記載されたポリエステルから得られた伸張性フィルム。
【請求項３３】
食品包装用に用いられる請求項３２に記載された伸張性フィルム。
【請求項３４】
請求項１〜３のそれぞれに記載されたポリエステルを含む多層フィルム。
【請求項３５】
請求項１〜３のそれぞれに記載されたポリエステルを含む、水遮断および酸素遮断の多層フィルムおよび積層板。
【請求項３６】
（Ａ）溶融状態において、ＡＳＴＭ  Ｄ−３８３５により測定された１８０℃およびＤ＝１ｍｍ、Ｌ／Ｄ＝３０のキャピラリーでのフローグラジエントγ＝１０３．７ｓ-1でのせん断粘度８００〜１，６００パスカル、ＡＳＴＭ  Ｄ−３８３５  アペンディックスにより測定された１８０℃、Ｄ＝１ｍｍ、Ｌ／Ｄ＝３０のキャピラリーでのフローグラジエントγ＝１０３．７ｓ-1での熱安定度定数Ｋ１．５×１０-4未満、溶融強度２〜４．５ｇおよび１８０℃での破断延伸比＞３０により特徴付けられ、少なくとも１つの二酸および少なくとも１つのジオールに由来する単位を含み、長い分岐鎖を有し、本質的にゲルを含まないポリエステルである生分解性脂肪族−芳香族ポリエステル
（Ｂ）ポリアクリル酸
を含む組成物。
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
溶融状態において、ＡＳＴＭ  Ｄ−３８３５−９０により測定された１８０℃およびＤ＝１ｍｍ、Ｌ／Ｄ＝３０のキャピラリーでのフローグラジエントγ＝１０３．７ｓ-1でのせん断粘度８００〜１，６００パスカル；ＡＳＴＭ  Ｄ−３８３５−アペンディックスにより測定された１８０℃およびＤ＝１ｍｍ、Ｌ／Ｄ＝３０のキャピラリーでのフローグラジエントγ＝１０３．７ｓ-1での熱安定度定数Ｋ１．５×１０-4未満；国際標準ＩＳＯ  １６７９０：２００５により測定された１８０℃、Ｄ＝１ｍｍ、Ｌ／Ｄ＝３０のキャピラリーでのフローグラジエントγ＝１０３．７ｓ-1および１２ｍｍ／秒2の等加速度および１１０ｍｍの延伸長さで延伸される溶融強度２〜４．５ｇおよび１８０℃での破断延伸比＞３０により特徴付けられ、少なくとも１つの二酸および少なくとも１つのジオールに由来する単位を含み、長い分岐鎖を有し、本質的にゲルを含まないポリエステルであり、前記ポリエステルが、少なくとも１つの二酸および少なくとも１つのジオールに由来する単位を含むポリエステルプレカーサーの反応性押出を含むことを特徴とする方法により得られ、前記ポリエステルプレカーサーが、実質的に線状であり、１９０℃および２．１６ｋｇでの５〜３０ｇ／分のＭＦＩを有し、かつ０．１〜１モル％の量で末端不飽和の含量を有し、前記反応性押出法が、ペルオキシド類、エポキシド類およびカルボジイミド類から選択される化合物の添加した状態で行われる生分解性脂肪族−芳香族ポリエステル。
【請求項２】
実質的に線状ポリエステルプレカーサーが、１９０℃および２．１６ｋｇでの７〜２０ｇ／分のＭＦＩ、スピードグラジエントｇ＝１００ｓ-1を有する５００〜７００パスカルのせん断粘度を有し、かつ０．１〜０．８モル％の量で末端不飽和の含量を有することで特徴付けられる請求項１に記載された生分解性ポリエステル。
【請求項３】
前記反応性押出法が、０．００１〜０．１％の量のペルオキシド類、０．０５〜１重量％の量のエポキシド類、０．０５〜１．５重量％の量のカルボジイミド類を添加することにより行われることで特徴付けられる請求項１または２に記載された生分解性ポリエステル。
【請求項４】
実質的に線状ポリエステルプレカーサーが、脂肪族および脂肪族−芳香族生分解性ポリエステル類の群から選択されることで特徴付けられる請求項１〜３のいずれか１つに記載された生分解性ポリエステル。
【請求項５】
脂肪族生分解性ポリエステル類が、脂肪族ジカルボン酸類および脂肪族ジオール類を由来として得られることで特徴付けられる請求項４に記載された生分解性ポリエステル。
【請求項６】
脂肪族−芳香族生分解性ポリエステル類が、主として多官能性芳香族酸類からなる芳香族部分、ならびに脂肪族ジカルボン酸類および脂肪族ジオール類およびその混合物からなる脂肪族部分を有することで特徴付けられる請求項４に記載された生分解性ポリエステル。
【請求項７】
ジカルボキシル芳香族化合物類が、フタル酸およびそのエステル類，フランジカルボン酸およびそのエステル類の誘導体、ならびにそれらの組み合わせであることで特徴付けられる請求項６に記載された生分解性ポリエステル。
【請求項８】
前記脂肪族ジカルボン酸類が、Ｃ2〜Ｃ13の炭素数を有することで特徴付けられる請求項５または６に記載された生分解性ポリエステル。
【請求項９】
脂肪族ジカルボン酸が、セバシン酸であることで特徴付けられる請求項８に記載された生分解性ポリエステル。
【請求項１０】
実質的に線状脂肪族−芳香族ポリエステル類が、４０と７０モル％との間の芳香族酸類の含量を有することで特徴付けられる請求項６〜９のいずれか１つに記載された生分解性ポリエステル。
【請求項１１】
ポリエステルが、規格ＥＮ１３４３２による生分解性である請求項１〜１０のいずれか１つに記載された生分解性ポリエステル。
【請求項１２】
少なくとも１つの剛体のまたは柔軟性の基材および少なくとも１つの、請求項１〜１１のいずれか１つに記載された生分解性ポリエステルを含む第１の層を含む積層品。
【請求項１３】
剛体の基材が、１またはそれ以上の層の紙および厚紙からなることで特徴付けられる請求項１２に記載された積層品。
【請求項１４】
柔軟性の基材が、１またはそれ以上の柔軟性のフィルムからなることで特徴付けられる請求項１２または１３に記載された積層品。
【請求項１５】
基材が、１またはそれ以上の剛体の基材および１またはそれ以上の柔軟性の基材からなることで特徴付けられる請求項１２〜１４のいずれか１つに記載された積層品。
【請求項１６】
一般に、バター、マーガリン用のタブ、ペットフード用の袋または箱、包装用積層紙ホイール、異なるタイプの食品、特にハンバーガーおよび肉類用の容器および包装紙、アイスクリームおよびヨーグルト用のカップ、蓋、酸化および／または湿気に敏感な食品、特にビスケット、コーヒーおよびポテトフライに適する、高い水および酸素遮断性を有する食品包装用の柔軟性のフィルムのような箱、カップ、プレート、食品包装からなる群から選択される請求項１２〜１５のいずれか１つによる積層品で得られた製品。
【請求項１７】
請求項１〜１１のいずれか１つに記載されたポリエステルから得られた伸張性フィルム。
【請求項１８】
請求項１〜１１のいずれか１つに記載されたポリエステルを含む多層フィルム。
【請求項１９】
請求項１〜１１のいずれか１つに記載されたポリエステルを含む、水遮断および酸素遮断の多層フィルムおよび積層板。
【請求項２０】
（Ａ）溶融状態において、ＡＳＴＭ  Ｄ−３８３５−９０により測定された１８０℃およびＤ＝１ｍｍ、Ｌ／Ｄ＝３０のキャピラリーでのフローグラジエントγ＝１０３．７ｓ-1でのせん断粘度８００〜１，６００パスカル；ＡＳＴＭ  Ｄ−３８３５−アペンディックスにより測定された１８０℃、Ｄ＝１ｍｍ、Ｌ／Ｄ＝３０のキャピラリーでのフローグラジエントγ＝１０３．７ｓ-1での熱安定度定数Ｋ１．５×１０-4未満、溶融強度２〜４．５ｇ、および１８０℃での破断延伸比＞３０により特徴付けられ、少なくとも１つの二酸および少なくとも１つのジオールに由来する単位を含み、長い分岐鎖を有し、本質的にゲルを含まないポリエステルである生分解性脂肪族−芳香族ポリエステル
（Ｂ）ポリアクリル酸
を含む組成物。
【国際調査報告】
2011518235.tif 000011
2011518235.tif 000012
2011518235.tif 000013
2011518235.tif 000014
2011518235.tif 000015
2011518235.tif 000016
2011518235.tif 000017